(57)【要約】【課題】この発明は、オペレータがフラップを紙袋に押し付ける簡単な作業のみで、口部を封緘することが出来るようにした紙袋を提供する。    【解決手段】この発明は、口部４に封緘用のフラップ５が形成された紙袋１であって、口部４に隣接する紙袋の表面６に非接着剤塗布面Ｂを形成するとともに、この非接着剤塗布面Ｂの略中間位置を境に口部４を紙袋表面６側へ折り曲げた際にフラップ５が当接する紙袋表面６とフラップ５とに、それぞれ接着剤塗布面同士は接着し接着剤塗布面と非接着剤塗布面とは接着しないワンタッチ型接着剤を塗布した接着剤塗布面Ｓを形成するようにしている。  【選択図】  図３
2006044706.tif 000002
【特許請求の範囲】
【請求項１】
口部に封緘用のフラップが形成された紙袋において、
前記口部に隣接する前記紙袋の表面に非接着剤塗布面Ｂを形成するとともに、
前記非接着剤塗布面Ｂの略中間位置を境に前記口部を前記紙袋の表面側へ折り曲げた際に前記フラップが当接する前記紙袋表面と前記フラップとに、それぞれ接着剤塗布面同士は接着し接着剤塗布面と非接着剤塗布面とは接着しないワンタッチ型接着剤を塗布した接着剤塗布面Ｓを形成するようにしたことを特徴とする紙袋。
【請求項２】
前記非接着剤塗布面Ｂの略中間位置には、予め折り曲げ線Ｄが形成されていることを特徴とする請求項１に記載の紙袋。
【請求項３】
前記紙袋は単層の筒状体から構成されていることを特徴とする請求項１に記載の紙袋。
【請求項４】
前記紙袋は多層の筒状体から構成されていることを特徴とする請求項１に記載の紙袋。
【請求項５】
前記フラップは前記紙袋と一体に形成されていることを特徴とする請求項１に記載の紙袋。
【請求項６】
前記フラップは前記紙袋と別体に形成されていることを特徴とする請求項１に記載の紙袋。
【発明の詳細な説明】
【技術分野】
【０００１】
この発明は紙袋に関し、特に口部に形成されたフラップにより当該口部を封緘するようにした紙袋に関する。
【背景技術】
【０００２】
一般に、クラフト紙等からなる紙袋では開口した口部から内容物を挿入した後、当該内容物の漏洩を防止するため当該口部を封緘する必要がある。
【０００３】
そこで従来では、口部に突設されたフラップに予めホットメルト系接着剤を塗布した紙袋を使用し、口部から内容物を紙袋内に収容した後、ホットメルト系接着剤を加熱溶着させる封緘装置を使用し、前記フラップを紙袋の表面に押し付け、このフラップに塗布されたホットメルト系接着剤を加熱溶着させて口部を封緘するようにしていた。
【０００４】
また、上述したホットメルト系接着剤を使用することなく、口部を封緘するためフラップが貼着される位置の紙袋表面に予め両面粘着テープを貼着するようにした紙袋もある。
【０００５】
なお、この両面粘着テープを予め貼着した紙袋の場合、フラップにより口部を封緘するには、まず両面粘着テープの剥離紙を剥がし、その後、フラップを両面粘着テープに圧接させて口部を封緘するようにしている。
【発明の開示】
【発明が解決しようとする課題】
【０００６】
ところで、上述したフラップにホットメルト系接着剤を塗布した従来の紙袋によると、紙袋の口部を封緘するためにはホットメルト系接着剤を加熱溶着させる独立した装置である封緘装置が必要であり、このため封緘に際してコストがかかり、その封緘作業も煩雑となる難点がある。
【０００７】
また、両面粘着テープを使用した紙袋では、封緘するのに当たり、予め剥離紙を剥がす作業が必要で封緘作業が煩雑となる難点があるばかりでなく、剥がした剥離紙がゴミとなりこれを処分する作業も必要となる。
【０００８】
この発明は、上述した事情に鑑み、封緘作業を行うオペレータがフラップを紙袋に押し付ける簡単な作業のみで、口部を封緘することが出来るようにした紙袋を提供することを目的とする。
【課題を解決するための手段】
【０００９】
上述した課題を解決するため、この発明では、口部に封緘用のフラップが形成された紙袋において、前記口部に隣接する前記紙袋の表面に非接着剤塗布面を形成するとともに、前記非接着剤塗布面の略中間位置を境に前記口部を前記紙袋の表面側へ折り曲げた際に前記フラップが当接する前記紙袋表面と前記フラップとに、それぞれ接着剤塗布面同士は接着し接着剤塗布面と非接着剤塗布面とは接着しないワンタッチ型接着剤を塗布した接着剤塗布面を形成するようにしている。
【発明の効果】
【００１０】
上述した、紙袋によると、オペレータが非接着剤塗布面の略中間位置を境に前記口部を折り曲げ、前記フラップに塗布されたワンタッチ型接着剤と当該フラップが当接する紙袋表面に塗布されたワンタッチ型接着剤同士を密着させる簡単な作業のみで、他に個別の封緘装置等の使用あるいは不要な部材の排出を伴うことなく口部を簡単に封緘することが出来る。
【００１１】
また、口部に隣接する紙袋の表面に非接着剤塗布面を形成し、その中間位置を境に口部を折り曲げるから、封緘されたフラップを切り取り口部の折り曲げを開放して口部を再び拡開する際に、口部が容易に拡開するだけでなく口部の拡開形状が接着剤により変形することもなく、このため開口した口部から内容物を紙袋から容易に排出させることが出来る。
【発明を実施するための最良の形態】
【００１２】
以下、この発明に係る紙袋の一実施例を詳述する。
【００１３】
図１はこの発明に係る紙袋１を示す正面図である。
【００１４】
この紙袋１はクラフト紙による単層の筒状体（チューブ体）から構成されたひだ付き紙袋である。
【００１５】
この紙袋１は、そのＡＡ断面図で示す図２のように、底部２が折り曲げられ、その表面に貼着した底当て紙３により当該底部２は予め密封封緘されている。
【００１６】
一方、図１で示すように、この紙袋１の口部４はストレートカットに形成され、その背面には当該口部４を封緘するためのフラップ５が当該紙袋１と一体に突設形成されている。
【００１７】
上述した紙袋１の表面６のうち、ストレートカットに形成された口部４に隣接する領域には、紙袋１の幅方向に沿って後述するワンタッチ型接着剤が塗布されていない非接着剤塗布面Ｂが形成されている。
【００１８】
なお、この非接着剤塗布面Ｂの略中間位置には口部４を紙袋１の表面６側へ容易に折り曲げることが出来るように、紙袋１の幅方向に沿って予め折り曲げ加工により折り曲げ線Ｄが形成されている。
【００１９】
なお、図１及び図２で符号１０は開封テープである。
【００２０】
一方、前記フラップ５の表面と、前記非接着剤塗布面Ｂの略中間位置に形成された折り曲げ線Ｄを境に前記口部４を紙袋１の表面６側へ折り曲げた際に、前記フラップ５が当接する前記紙袋１の表面位置とには、それぞれ接着剤塗布面同士は接着し非接着剤塗布面と接着剤塗布面とは接着しない接着剤が塗布された接着剤塗布面Ｓが形成されている。
【００２１】
なお、この接着剤塗布面同士は接着し非接着剤塗布面と接着剤塗布面とは接着しない接着剤は、いわゆるワンタッチ型接着剤と称される接着剤で、主に天然ゴムラテックスを主成分とし、これに粘着付与樹脂（例えば、水添ロジン、重合ロジン、マレイン酸変性ロジン、水添ロジンエステル等のロジン系樹脂；アルキルフェノール樹脂、ロジン変性フェノール樹脂、テルペン変性フェノール樹脂等のフェノール系樹脂；天然及び合成テルペン樹脂；クマロン−インデン樹脂；クマロン−インデン−スチレン樹脂；脂肪族系及び芳香族系石油樹脂等が挙げられる。）を一定量含有する接着剤を指している。
【００２２】
次に上述した構造の紙袋１の作用を説明する。
【００２３】
上述した紙袋１の口部４を封緘するには、まず口部４から内容物を紙袋１内に挿入した後、図３の概念斜視図で示すように、オペレータは紙袋１の幅方向に沿って予め折り曲げ加工により形成された折り曲げ線Ｄに沿って、矢印Ｆのように折り曲げ、フラップ５のワンタッチ型接着剤面Ｓを前記紙袋表面６のワンタッチ型接着剤面Ｓに圧接させる。
【００２４】
すると、図４、およびその要部断面図で示す図５で示すように、フラップ５のワンタッチ型接着剤面Ｓと紙袋１に塗布されたワンタッチ型接着剤面Ｓとが互いに接着し、口部４はフラップ５により簡単に折り曲げ封緘されることとなる。
【００２５】
一方、図５に示す口部４が封緘された紙袋１を開封する場合はフラップ５に形成された開封テープ１０を引きちぎって、図６に示すようにフラップ５を切断する。
【００２６】
その後、折り曲げ線Ｄに沿って矢印Ｇのように口部４を折り曲げれば、図７で示すように口部４の周辺Ｉは非接着剤塗布面Ｂにより接着されていないので、当該口部４は簡単に折り曲げ前のもと姿勢に復帰し、口部４周辺も変形することなく簡単に拡開することが出来る。
【００２７】
なお、図５乃至図７で符号Ｈは紙袋１内の内容物を示している。
【００２８】
なお、上記実施例では、紙袋１を単層の筒状体からなるひだ付きの紙袋としたが、ひだなしの紙袋に適用しても良く、さらには多層筒状体からなる紙袋、例えばピンチ紙袋にも適用しても良い。
【００２９】
また上記実施例では、フラップ５は紙袋１と一体に形成されたものについて詳述したが、このフラップ５を紙袋１とは別体の当て紙により形成するようにしたものについて適用しても良い。
【産業上の利用可能性】
【００３０】
以上のように、この発明は、封緘作業を行うオペレータがフラップを紙袋に押し付ける簡単な作業のみで、口部を封緘することが出来るようにした紙袋に適している。    
【図面の簡単な説明】
【００３１】
【図１】図１はこの発明に係る紙袋の正面図。
【図２】図２は図１のＡＡ断面図。
【図３】図３は本願発明に係る紙袋の作用を示す概念斜視図。
【図４】図４は本願発明に係る紙袋の作用を示す概念斜視図。
【図５】図５は図４の概念断面図。
【図６】図６はフラップの切断状態を示す要部概念断面図。
【図７】図７は口部を拡開した状態を示す要部概念断面図である。
【符号の説明】
【００３２】
１…紙袋
４…口部
５…フラップ
６…紙袋表面
Ｂ…非接着剤塗布面
Ｄ…折り曲げ線
Ｓ…接着剤塗布面
【図１】
2006044706.tif 000003
【図２】
2006044706.tif 000004
【図３】
2006044706.tif 000005
【図４】
2006044706.tif 000006
【図５】
2006044706.tif 000007
【図６】
2006044706.tif 000008
【図７】
2006044706.tif 000009